(57)【要約】【課題】鉄筋コンクリート構造物の鉄筋と型枠とのかぶり厚を、必要な深さ場所を次々にかえつつ測定が数値表示により正確にできるようにしたかぶり厚測定装置を提供する。【解決手段】本発明のかぶり厚測定装置は、エアシリンダ１０の作動に連動して拡開するパンタグラフ式部材９を介して対向設置された測定板１３、１３′、該測定板の外面間を測距するように設定されたエンコーダ２６を備えた測定器３と、該測定器のエンコーダからの信号を受領して数値表示する表示盤５、前記エアシリンダ１１を作動させるエアポンプ７の接続口を備えた手元器２とを、エア路ａと信号路ｂとを備えたフレキシブル管９を介して連繋したことを特徴とし、フレキシブル管により手元器に繋がれた測定器を任意の長さに設定することにより測定器を必要な深さの測定場所まで挿入し、その深さにおいて正確なかぶり厚の測定ができるように構成した。【選択図】図１
2014202569.tif 000002
【特許請求の範囲】
【請求項１】
エアシリンダの作動に連動して拡開するパンタグラフ式部材を介して対向設置された測定板、該測定板の外面間を測距するように設定されたエンコーダを備えた測定器と、該測定器のエンコーダからの信号を受領して数値表示する表示盤、前記エアシリンダを作動させるエアポンプの接続口を備えた手元器とを、エア路と信号路を備えたフレキシブル管を介して連繋したことを特徴とするかぶり厚測定装置。
【請求項２】
前記手元器が、吊り紐を備えたものであることを特徴とする請求項１に記載のかぶり厚測定装置。
【請求項３】
前記パンタグラフ式部材が、前記エアシリンダに掛けた圧に連動して拡大するようになっていることを特徴とする請求項１又は２に記載のかぶり厚測定装置。
【発明の詳細な説明】
【技術分野】
【０００１】
本発明は、鉄筋コンクリート構造物における鉄筋に対するかぶり厚（鉄筋と型枠との間隔）を、測定点をずらしつつ数値にて測定できるようにしたかぶり厚測定装置に関するものである。
【背景技術】
【０００２】
鉄筋コンクリート構造物における鉄筋に対するコンクリートのかぶり厚は、鉄筋の腐食の防止又は抑制するためにも重要である。このかぶり厚の測定するものとして実用新案登録第３１３４６７２号公報があった。これは型枠内面に当てる型枠側基準部と、かぶりを測定する鉄筋に当てる鉄筋側基準部と、器具を操作する持ち手大と、持ち手小とを備え、型枠側基準部を型枠内面に当てた状態で、鉄筋側基準部を鉄筋の任意の位置にスライドさせることによりかぶり厚を測定できるようにしていた。
【特許文献１】実用新案登録第３１３４６７２号公報
【発明の開示】
【発明が解決しようとする課題】
【０００３】
しかしながら、上記特許文献１のものは、持ち手大と持ち手小とを手に持ち、まず、型枠側基準部を当て、次いで、持ち手大をスライドさせて鉄筋側基準部を鉄筋に当てる。これにより両方の基準部間の距離（間隔）を、持ち手大に付したマークが指す、持ち手小に付した目盛りを読むことによりかぶり厚の測定ができるようになっているため、手の届く範囲（深さを含む）しか測定できないという難点があった。
【０００４】
本発明は、上記の問題を解消したもので、その目的とするところは、鉄筋コンクリート構造物の鉄筋と型枠との間隔によりかぶり厚を、手の届く範囲に限らず、いかなる深さにおいても正確に測定できるようにしたかぶり厚測定装置を提供することにある。
【課題を解決するための手段】
【０００５】
上記の目的を達成するため、本発明のかぶり厚測定装置は、エアシリンダの作動に連動して拡開するパンタグラフ式部材を介して対向設置された測定板、該測定板の外面間を測距するように設定されたエンコーダを備えた測定器と、該測定器のエンコーダからの信号を受領して数値表示する表示盤、前記エアシリンダを作動させるエアポンプの接続口を備えた手元器とを、エア路と信号路を備えたフレキシブル管を介して連繋したことを特徴とし、手元器にフレキシブル管により繋がれた測定器を縮小した状態で任意の深さの測定場所まで挿入し、その深さにおける値を手元器に正確に伝えられるように構成した。
【０００６】
また、請求項２に記載のかぶり厚測定装置は、前記手元器が、吊り紐を備えたものであることを特徴とし、手元器を首又は肩に吊り下げた作業者が極めて近くで測定値を読み取れるように構成した。
【０００７】
さらに、請求項３に記載のかぶり厚測定装置は、前記パンタグラフ式部材が、前記エアシリンダに掛けた圧に連動して拡大するようになっていることを特徴とし、エアシリンダに圧を掛けると測定板を測定できるように拡開し、エアシリンダへの圧を解除すると測定板を縮小できるように構成している。
【発明の効果】
【０００８】
本発明によれば、手元器に繋いだエアポンプの操作でパンタグラフ式部材を介して対向設置された測定板を鉄筋と型枠とに当るように拡開し、その拡開時の値をエンコーダにより確実かつ正確に求め、これを手元器の表示盤に正確に表示できるようにしている。また、手元器と測定器とを連繋したエア路と信号路を備えたフレキシブル管はその長さは任意に設定でき限界がないため、測定器で測定した数値は手元器の表示盤に正確に表示でき、しかも、その数値は手元において正確に読み取ることができるなど、各種の優れた効果を奏するものである。
【０００９】
また、請求項２の発明によれば、測定者は、測定時に手元器を首や肩に吊り下げて身近におくことができ、測定値を目視により正確に読み取り作業ができるという優れた効果を奏するものである。
【００１０】
また、請求項３の発明によれば、エアシリンダに圧を掛けると測定板を測定できるように拡開し、エアシリンダへの圧を解除すると測定板を縮小できるから、エアポンプの操作により測定場所を点々と変えながら測定できるという優れた効果を奏するものである。
【発明を実施するための最良の形態】
【００１１】
次に、本発明の実施の態様を添付図面に基づいて説明する。図１は本願装置全体の略示的な一部切欠斜視図、図２は測定器の拡開時の側面図、図３は測定器の縮小時の側面図である。
【００１２】
本願装置１は、図１の如く、手元器２と測定器３とを備えている。該手元器２には、吊り紐（ベルトないしバンドを含む）４が固定（着脱可能でもよい）されている。該吊り紐４を首に掛けるか肩に掛けることにより手元器２は人体の前面（腹部）又は脇部に吊り下げることができ、その状態における上面には測定器３からの測定信号を表示できる表示盤５が設けられている。
【００１３】
前記表示盤５は、前記手元器２に内蔵されている電池室６内に収納した電池もしくは充電池（図示せず）を電源とし、手元スイッチ６ａをオンすることにより作動する。前記手元器２にはエアポンプ７が、内蔵されているエア接続器８の入力端８ａにチューブ７ａの先端ノズル７ｂを接続できるようになっている。前記エアポンプ７は、図示の場合は、手で繰り返し掴む操作によりエア吸入口７ｃから逆止弁（図示せず）を通してエアをエア接続器８の出力端８ｂより前記測定器３側へ向けて送り出すようになっている。前記エア吸入口７ｃにはエア排出コック７ｄも備えられている。
【００１４】
前記エアポンプ７の操作により押し出されたエアは、フレキシブル管９に備えたエア路ａを通して前記測定部３のエアシリンダ１０に供給される。該エアシリンダ１０に掛かった圧は手元器２の上面に設けたランプ１１を点灯させることにより確認がとれる。
【００１５】
前記測定器３は、前記エアポンプ７からの圧がエアシリンダ１０に掛かると拡大するパンタグラフ式部材１２を介して測定板１３、１３′を支持している。該パンタグラフ式部材１２のうち、第１リンク１４、１４′と、第２リンク１５、１５′とで作ったヒシ形の上端部は、エアシリンダ１０の延長枠１６の上ピン１７に枢着し、また、ヒシ形の下端部は、エアシリンダ１０のピストン１０′の先端具１８から延長したシャフト１９の先端ピン２０に枢着し、さらに、ヒシ形の左右部は、前記測定板１３、１３′の内面中央部に固定した縦枠２１の上位ピン２２に枢着している。
【００１６】
前記パンタグラフ式部材１２のうち、第３リンク２３、２３′で作られた山形の基端部は、前記エアシリンダ１１の延長枠１６の下ピン２４に枢着し、山形の先端部は、前記測定板１３、１３′の内面中央部に固定した縦枠２１の下位ピン２５に枢着している。
【００１７】
前記エアシリンダ１０は、これにエア圧が掛かると、前記ピストン１０′が引かれ、その先端具１８から延長したシャフト１９の先端ピン２０の上動に伴ってパンタグラフ式部材１２が拡大して鉄筋Ａと型枠Ｂの内面に、前記測定板１３、１３′のそれぞれの外面を当接させ、図２の状態になる。一方、前記エアシリンダ１０に掛かっていたエア圧がなくなると、前記測定板１３、１３′の重さで、パンタグラフ式部材１２が、図３の如く、折り畳まれ、縮小するようになっている。
【００１８】
前記測定板１３、１３′の一方の内面には、エンコーダ２６が設けられ、他方の内面には、前記エンコーダ２６に内蔵したリール２７から引き出したワイヤ２８の先端が結着具２９に結着されている。しかして、前述の如く測定板１３、１３′が拡開し、前記鉄筋Ａと型枠Ｂの内面に、それぞれの外面が当接したときには、その外面間（かぶり厚）Ｃが測距できるように設定されている。なお、前記エンコーダ２６のリール２７はワイヤ２８を巻取り方向にバネ（図示せず）付勢されている。
【００１９】
前記エンコーダ２６を作動するための電源は、前記手元器２に内蔵した電池室６内の電池もしくは充電池からフレキシブル管９内を縦通した信号路ｂを通して給電される。また、前記エンコーダ２６が作動して測距した数値は、前記フレキシブル管９内の信号路ｂを通して前記手元器２の表示盤５に表示されるようになっている。
【００２０】
次に、本願装置の作用を説明する。まず、作業者（測定者）は、手元器２の下面に設けたエアの入力端８ａにエアポンプ７の先端ノズル７ｂを接続する。また、測定器３のエアシリンダ１０に繋がっているフレキシブル管９を手元器２の下面に設けた出力端８ｂに接続する。この場合、フレキシブル管９に備えたエア路ａと通信路ｂはそれぞれ接続されるようになっている。
【００２１】
次に、作業者は吊り紐４により前記手元器２を首（又は肩）に掛けたならば、縮小状態になっている測定器３を、エアシリンダ１０とともに、鉄筋Ａと型枠Ｂとの間にフレキシブル管９を、そのフレキシブル性を利用して上から下に向けて挿入する。この挿入位置（深さ）は、前記フレキシブル管９の表面にたとえば１メートル毎に数字や色等で表示した目印にて決めてもよい。なお、フレキシブル管９はその長さは限定されないが、３〜６メートル程度でよい。
【００２２】
次いで、作業者は、エアポンプ７を繰り返し掴むように操作してエアを、前記エアシリンダ１０に注入すると、ピストン１０′が引かれ、その先端具１８から延長されたシャフト１９を上動し、パンタグラフ式部材１２を拡開して、測定板１３、１３′を拡大方向に平行に開いて前記鉄筋Ａと型枠Ｂに内面に当接する。
【００２３】
この測定板１３、１３′の外面間（かぶり厚）Ｃは、エンコーダ２６からワイヤ２７が引出され、その引出し量により測距され、その信号がフレキシブル管９を通して手元器２の表示盤５に送られる。この表示盤５の表示は、作業者をして吊り紐４により首又は肩に掛けられている手元器２の上面にあるため即時（リアルタイム）に確認できる。
【００２４】
かくして、作業者は、エアポンプ７からエアを送らず、エアポンプ７のエアを抜く操作をしてパンタグラフ式部材１２は前記測定板１３、１３′の重さにより折り畳まれ、測定板１３、１３′を縮小させる。しかして、測定器３は、その縮小状態では鉄筋Ａと型枠Ｂとの間を自由に移動できる。かくして別の場所（深さも含む）に移動させた後、その場所の深さを確認してから、エアポンプ７を操作して再びパンタグラフ式部材９を拡開し、測定板１３、１３′を拡大方向に平行に開いて鉄筋Ａと型枠Ｂに当接させることができる。
【産業上の利用可能性】
【００２５】
本願装置は、エアポンプの操作によりパンタグラフ式部材を介して測定板を拡開し、その拡開により測定板の外面を鉄筋と型枠に当接させると、エンコーダから引き出したワイヤの引出し量によりかぶり厚を、測定場所を次つぎとかえつつ即時に正確に求められることができるかぶり厚測定装置であり、コンクリートを敷設する建築工事、道路工事、トンネル工事、堤防工事などの産業に広く応用することができるものである。
【図面の簡単な説明】
【００２６】
【図１】本願装置全体の略示的な一部切欠斜視図である。
【図２】測定器の拡開時の側面図である。
【図３】測定器の縮小時の側面図である。
【符号の説明】
【００２７】
１  本願装置
２  手元器
３  測定器
４  吊り紐（ベルトないしバンドを含む）
５  表示盤
６  電池室
７  エアポンプ
７ａ  チューブ
７ｂ  先端ノズル
８  エア接続器
８ａ  入力端
８ｂ  出力端
９  フレキシブル管
１１  ランプ
１０  エアシリンダ
１０′  ピストン
１２  パンタグラフ式部材
１３、１３′  測定板
１４、１４′  第１リンク
１５、１５′  第２リンク
１６  延長枠
１７  上ピン
１８  先端具
１９  シャフト
２０  先端ピン
２１  縦枠
２２  上位ピン
２３、２３′  第３リンク
２４  下ピン
２５  下位ピン
２６  エンコーダ
２７  リール
２８  コード
２９  結束具
ａ  エア路
ｂ  通信路
【図１】
2014202569.tif 000003
【図２】
2014202569.tif 000004
【図３】
2014202569.tif 000005